(57)【特許請求の範囲】
【請求項１】
筐体に内蔵した印刷部が、筐体内の上部に設けたスキャナーユニットと、該筐体内の中央部に設けた感光体ドラム及び攪拌体付きトナーカートリッジと、その筐体内の下部に設けた給紙トレイとを有し、該給紙トレイから筐体の上面に形成した用紙受け凹部に開口する排紙口に至る用紙の搬送経路が設けられ、該搬送経路の途中にホットローラが設けられ、印刷信号に基づいてトナーカートリッジの攪拌体及び感光体ドラムを回転させ、給紙トレイ内の用紙を搬送経路に沿って搬送し、スキャナーユニットからレーザビームを走査することにより感光体ドラムに静電潜像を形成し、その静電潜像に付着したトナーを用紙に転写し、その用紙にホットローラでトナーを焼き付け、これにより印刷を完了した用紙を用紙受け凹部に排出するように形成され、前記筐体の上部から中央部にかけてその前面を開放することにより前面開口部が形成され、その前面開口部に上下２枚の前面パネルが配置され、その上側前面パネルが前面開口部の上端に枢着軸を介して開閉可能に枢着されると共に、その下側前面パネルが前面開口部の下端に枢着軸を介して開閉可能に枢着され、前記下側前面パネルの裏面に手差しガイド部が設けられており、下側前面パネルを下方に開放し、手差しガイド部に沿って用紙を差し込むことにより、その用紙に対して印刷部により印刷を施すようにしたプリンタにおいて、前記下側前面パネルにその上端縁から上方に突出する突出部が一体突設され、該突出部を前記上側前面パネルの下部に形成した凹部に収納し、前記手差しガイド部が、下側前面パネルの裏面から突出部の裏面まで延びる固定ガイド台と、該固定ガイド台に伸縮可能に係止された可動ガイド枠とを有しており、下側前面パネルを下方に開放し、可動ガイド枠を突出部よりも前方に伸長させ、その可動ガイド枠及び固定ガイド台に沿って用紙を差し込むようにしたことを特徴とするプリンタ。
【発明の詳細な説明】
【０００１】
【発明の属する技術分野】
本発明は、例えばレーザプリンタなどの手差しガイド部の構造が簡単で製作費が安くつくようにしたプリンタに関する。
【０００２】
【従来の技術】
従来、プリンタの技術として特開平１−３２１４４４号公報などに記載したものがあり、その一例を図４及び図５に基づいて説明すると、これは、レーザプリンタであって、印刷部１を内蔵した筐体２の前面開口部３に上下２枚の前面パネル４，５が配置され、その上側前面パネル４が前面開口部３の上端に枢着軸６を介して開閉可能に枢着されると共に、その下側前面パネル５が前面開口部３の下端に枢着軸７を介して開閉可能に枢着され、下側前面パネル５の裏面に多段伸縮式手差しガイド部８が設けられている。
【０００３】
前記印刷部１は、スキャナーユニット９と、感光体ドラム１０ａ及び攪拌体１０ｂ付きトナーカートリッジ１０と、給紙トレイ１１とを有し、その給紙トレイ１１から筐体２の上面に形成した用紙受け凹部１２に開口する排紙口１３に至る用紙Ｐの搬送経路Ａに沿って給紙ローラ１４、複数の駆動ローラ１５、手差しガイド板１６、手差しローラ１７、ホットローラ１８、押さえローラ１９及び一対の排紙ローラ２０が設けられている。
【０００４】
前記多段伸縮式手差しガイド部８は、下側前面パネル５の裏面に固着した基枠８ａと、該基枠８ａに伸縮可能に嵌合させた複数の可動枠８ｂ，８ｃと、先端側可動枠８ｃに伸縮可能に係止された略コ字状可動ガイド枠８ｄとを有し、基枠８ａ上の一側に用紙ガイド用固定片２２が固着され、基枠８ａ上の他側にガイド溝２３に沿って移動可能な用紙ガイド用可動片２４が設けられている。なお、図５中、２５は下側前面パネル５に設けたクリップ爪であって、筐体２に設けた被係止部（図示せず）に係脱可能に係合して下側前面パネル５の閉鎖状態（図４仮想線参照）を保持するものである。
【０００５】
印刷手順を説明すると、コンピュータから印刷信号が入力されると、駆動モータ（図示せず）が駆動されて、トナーカートリッジ１０の攪拌体１０ｂ及び感光体ドラム１０ａが回転されると共に、給紙ローラ１４及び駆動ローラ１５が回転されて、給紙トレイ１１内の用紙Ｐが搬送経路Ａに沿って搬送され、また、スキャナーユニット９からレーザビームを走査することにより感光体ドラム１０ａに静電潜像が形成され、その静電潜像に付着したトナーが用紙Ｐに転写され、次に、その用紙Ｐがホットローラ１８の下を通過することによりトナーが焼き付けられ、これにより印刷を完了した用紙Ｐが排紙ローラ２０により用紙受け凹部１２内に排出される。
【０００６】
用紙Ｐを手差しで送り込む場合には、図４の実線及び図５に示すように、下側前面パネル５を下方に開放し、可動ガイド枠８ｄを把持して引っ張ることにより多段伸縮式手差しガイド部８を伸長させ、その手差しガイド部８に沿って用紙Ｐを差し込めばよい。これによって、用紙Ｐの先端が手差しガイド板１６に沿って駆動ローラ１５と手差しローラ１７との間に差し込まれ、以後は上記と同様の手順で印刷が施される。
【０００７】
下側前面パネル５を閉鎖状態にする場合には、可動ガイド枠８ｄを把持して押し込むことにより多段伸縮式手差しガイド部８を縮小させ、下側前面パネル５を枢着軸７を中心に押し上げるだけでよい（図４仮想線参照）。これによって、縮小させた多段伸縮式手差しガイド部８を下側前面パネル５の裏面に隠すことができる。
【０００８】
【発明が解決しようとする課題】
上記従来の構成では、多段伸縮式手差しガイド部８の構造が複雑で製作費が高くつく。また、可動ガイド枠８ｄを引き押しするだけで、多段伸縮式手差しガイド部８を小さな力で容易に伸縮させることができるようになっているから、伸長状態の多段伸縮式手差しガイド部８に手などが軽く接触するだけで、その多段伸縮式手差しガイド部８が不測に縮小されて、その上に載せた用紙Ｐの支持が不安定になるおそれがある。
【０００９】
本発明は、上記従来の欠点に鑑み、手差しガイド部の構造が簡単で製作費が安くつき用紙を安定的に支持することができるプリンタを提供することを目的としている。
【００１０】
【課題を解決するための手段】
上記目的を達成するため、請求項１記載の発明は、筐体に内蔵した印刷部が、筐体内の上部に設けたスキャナーユニットと、該筐体内の中央部に設けた感光体ドラム及び攪拌体付きトナーカートリッジと、その筐体内の下部に設けた給紙トレイとを有し、該給紙トレイから筐体の上面に形成した用紙受け凹部に開口する排紙口に至る用紙の搬送経路が設けられ、該搬送経路の途中にホットローラが設けられ、印刷信号に基づいてトナーカートリッジの攪拌体及び感光体ドラムを回転させ、給紙トレイ内の用紙を搬送経路に沿って搬送し、スキャナーユニットからレーザビームを走査することにより感光体ドラムに静電潜像を形成し、その静電潜像に付着したトナーを用紙に転写し、その用紙にホットローラでトナーを焼き付け、これにより印刷を完了した用紙を用紙受け凹部に排出するように形成され、前記筐体の上部から中央部にかけてその前面を開放することにより前面開口部が形成され、その前面開口部に上下２枚の前面パネルが配置され、その上側前面パネルが前面開口部の上端に枢着軸を介して開閉可能に枢着されると共に、その下側前面パネルが前面開口部の下端に枢着軸を介して開閉可能に枢着され、前記下側前面パネルの裏面に手差しガイド部が設けられており、下側前面パネルを下方に開放し、手差しガイド部に沿って用紙を差し込むことにより、その用紙に対して印刷部により印刷を施すようにしたプリンタにおいて、前記下側前面パネルにその上端縁から上方に突出する突出部が一体突設され、該突出部を前記上側前面パネルの下部に形成した凹部に収納し、前記手差しガイド部が、下側前面パネルの裏面から突出部の裏面まで延びる固定ガイド台と、該固定ガイド台に伸縮可能に係止された可動ガイド枠とを有しており、下側前面パネルを下方に開放し、可動ガイド枠を突出部よりも前方に伸長させ、その可動ガイド枠及び固定ガイド台に沿って用紙を差し込むようにしたことを特徴としている。
【００１１】
上記構成によれば、下側前面パネルの裏面から該下側前面パネルに一体突設した突出部の裏面にかけて手差しガイド部が形成されているので、前記下側前面パネルを下方に開放し、手差しガイド部に沿って用紙を差し込むだけで、その用紙に対して印刷を迅速に施すことができる。また、前記手差しガイド部が下側前面パネル及び突出部の裏面側に設けられているので、その手差しガイド部に手などが不測に接触することがなく、その上に載せた用紙を安定的に支持することができる。
【００１２】
また、下側前面パネルから上方に突出する突出部が上側前面パネルの凹部内に収納されるので、外観上の体裁を良好に維持することができる。
【００１３】
更に、手差しガイド部が固定ガイド台と可動ガイド枠とからなり、従来に比べて構造が簡単で製作費を安くすることができる。また、手などの接触により可動ガイド枠が縮小されるだけであり、固定ガイド台が下側前面パネルから突出部まで延びて表面積が広いので、その上に載せた用紙を安定的に支持することができる。
【００１４】
【発明の実施の形態】
図１から図３は本発明の実施の一形態であるレーザプリンタを示すものであって、下側前面パネル５にその上端縁から上方に突出する突出部２６が一体突設され、該突出部２６の裏面まで手差しガイド部２７が延設され、上側前面パネル４の下部に、突出部２６を収納するための凹部２８が形成されている。上記以外の構成は図４及び図５に示す構成とほぼ同じであるから、同一部分に同一符号を付してその説明を省略する。
【００１５】
前記手差しガイド部２７は、下側前面パネル５の裏面から突出部２６の裏面まで延びる固定ガイド台２７ａと、該固定ガイド台２７ａの先端に伸縮可能に係止された可動ガイド枠２７ｂからなり、固定ガイド台２７ａは４サイズの用紙Ｐの横幅よりも若干広幅の略矩形平板状に形成され、可動ガイド枠２７ｂは略コ字状に形成され、該可動ガイド枠２７ｂの両端部が固定ガイド台２７ａの先端側に形成した一対のスリット２９に一定範囲内伸縮可能に挿入されている。
【００１６】
前記構成による印刷手順は図４及び図５に示す従来例とほぼ同じであり、用紙Ｐを手差しで送り込む場合には、図１の実線及び図２に示すように、下側前面パネル５を下方に開放し、可動ガイド枠２７ｂを引っ張って突出部２６よりも前方に伸長させ、その可動ガイド枠２７ｂ及び固定ガイド台２７ａに沿って用紙Ｐを差し込めばよい。これによって、用紙Ｐの先端が手差しガイド板１６に沿って駆動ローラ１５と手差しローラ１７との間に差し込まれ、以後は従来と同様の手順で印刷が施される。
【００１７】
下側前面パネル５を閉鎖状態にする場合には、可動ガイド枠２７ｂを押し込んで縮小させ、下側前面パネル５を枢着軸７を中心に押し上げるだけでよい（図１仮想線参照）。これによって、手差しガイド部２７を下側前面パネル５の裏面に隠すことができる（図３参照）。
【００１８】
上記構成によれば、手差しガイド部２７が固定ガイド台２７ａと可動ガイド枠２７ｂとからなり、従来に比べて構造が簡単で製作費を安くすることができる。また、図１及び図２に示すように、下側前面パネル５を下方に開放し、可動ガイド枠２７ｂを伸長させた後、該可動ガイド枠２７ｂ及び固定ガイド台２７ａに沿って用紙Ｐを差し込むだけで、その用紙Ｐに対して印刷部１により印刷を迅速に施すことができる。更に、手などの接触により可動ガイド枠２７ｂが縮小されるだけであり、固定ガイド台２７ａが下側前面パネル５から突出部２６まで延びて表面積が広いので、その上に載せた用紙Ｐを安定的に支持することができる。しかも、突出部２６が上側前面パネル４の凹部２８内に収納されるので、外観上の体裁を良好に維持することができる。
【００１９】
【発明の効果】
請求項１記載の発明によれば、下側前面パネルの裏面から該下側前面パネルに一体突設した突出部の裏面にかけて手差しガイド部が形成されているので、前記下側前面パネルを下方に開放し、手差しガイド部に沿って用紙を差し込むだけで、その用紙に対して印刷を迅速に施すことができる。また、前記手差しガイド部が下側前面パネル及び突出部の裏面側に設けられているので、その手差しガイド部に手などが不測に接触することがなく、その上に載せた用紙を安定的に支持することができる。
【００２０】
また、下側前面パネルから上方に突出する突出部が上側前面パネルの凹部内に収納されるので、外観上の体裁を良好に維持することができる。
【００２１】
更に、手差しガイド部が固定ガイド台と可動ガイド枠とからなり、従来に比べて構造が簡単で製作費を安くすることができる。また、手などの接触により可動ガイド枠が縮小されるだけであり、固定ガイド台が下側前面パネルから突出部まで延びて表面積が広いので、その上に載せた用紙を安定的に支持することができる。
【図面の簡単な説明】
【図１】  本発明の実施の一形態であるレーザプリンタを示す側面図である
【図２】  同斜視図である。
【図３】  同下側前面パネルの閉鎖状態を示す斜視図である。
【図４】  従来例を示す側面図である。
【図５】  同斜視図である。
【符号の説明】
１        印刷部
２        筐体
３        前面開口部
４        上側前面パネル
５        下側前面パネル
７        枢着軸
８        多段伸縮式手差しガイド部
２６      突出部
２７      手差しガイド部
２７ａ    固定ガイド台
２７ｂ    可動ガイド枠
２８      凹部
Ｐ        用紙
【図１】
0003937133.tif 000002
【図２】
0003937133.tif 000003
【図３】
0003937133.tif 000004
【図４】
0003937133.tif 000005
【図５】
0003937133.tif 000006